(57)【要約】      （修正有）【課題】ボタンに糸を通し、糸の先には布に刺し通す器具を取付けて縫うという手間を省くことができるボタンを提供する。【解決手段】ボタンに糸が付けられており、さらにその糸には衣料品の布等に取り付けるための器具（以後、「取り付け器具」と称する）が取付けられている。この取り付け器具は木製または、プラスチック製とするので、従来の針のような危険性はない。また、糸が付属しているので、余分な糸を購入する必要が無い。【選択図】図１
0003114990.tif 000002
【実用新案登録請求の範囲】
【請求項１】
ボタンに取り付け用器具を装着した糸が付いていて、針を使用せずに取り付けられるボタン。
【考案の詳細な説明】
【考案の詳細な説明】
【技術分野】
【０００１】  本考案は、衣類等に付けるボタンに関する。
【背景技術】
【０００２】  従来のボタンはボタン単独のものであり、取り付けの際に針に糸を通してボタンを布に縫い付けるものが一般的である。
【本考案が解決しようとする問題】
【０００３】  上記のようなボタンでは、針に糸を通すことが困難な高齢者や、針を持ったことのない若年者、男性などは他人にボタン付けを依頼しなくてはならない。
【０００４】  ボタンをつけるために使用する針は金属製で極めて細く作成されており、人体に刺した場合、時には人命に関わるほどの危険物となる。
【０００５】  糸はボタン一つ取り付けるために必要な長さはわずかに０．５ｍほどであるにも関らず、１巻８０ｍで市販されているためかなり不経済でもあり、残りの糸をほとんど未使用のまま捨てることは無駄であるともいえる。
【０００６】  そのため本考案では、ボタンに糸と、針に代わる器具を取り付けて、針を使わずに誰でも簡単にボタンを付けることができることを目的とした。
【課題を解決するための手段】
【０００７】  上記目的を達成するために、本考案はボタンに糸が付けられており、さらにその糸には衣料品の布等に取り付けるための器具（以後、「取り付け器具」と称する）が取付けられている。この取り付け器具は木製または、プラスチック製とするので、従来の針のような危険性はない。また、糸が付属しているので、余分な糸を購入する必要が無い。
添付図
【図１】
【図２】
【図３】
は、本考案ボタン２つ穴の斜め方向、側面、裏面から見た図であり、
【図４】
【図５】
【図６】
は、本考案ボタン４つ穴の斜め方向、側面、裏面から見た図である。
【手段の詳しい説明】
【０００８】  上記の器具は、太さφ０．５ｍｍ〜φ１ｍｍとする。
【０００９】  上記の器具は、長さ１０ｍｍ〜１５ｍｍとする。
【００１０】  上記の器具の材質は、木製または、プラスチック製とする。
【００１１】  上記の器具の形状は、先端を鋭利に尖らせた円錐形とする。この形状は、器具を布に通す際に、滑らかに布を貫通させることを目的とする。上記の器具の後部円形側は中央に幅０．０５ｍｍ〜０．３ｍｍ、深さ２ｍｍ〜３ｍｍの切り込みがある。この切り込みにボタンを通した糸をはさみ、接着剤で固定する。添付図
【図７】
は、取り付け器具を斜め方向から見た図である。ｃは、糸を埋め込み接着剤で固定するための切り込み部を示している。
添付図
【図８】
は、ボタンに通してある糸を取りつけ器具に接着した様子を示している。
【００１２】  ボタン穴に通した糸は、ボタンの裏側でなおかつ、糸の中央辺りで二重に結び（いわゆる堅結び）、ボタンが糸から外れないようにすると共に、糸上で位置がずれないように固定する。詳細は添付図
【図８】
を参照。
【取り付け糸の説明】
【００１３】  上記の器具に取り付けられている糸は、市販されている糸と同種類の絹糸又は綿糸とする。
【００１４】  ボタン穴に糸を通し、ボタンの裏側で各々の穴から出た２束の糸を結ぶ。添付図
【図２】
のａは、２つ穴ボタンの場合のボタン裏側での糸の結束を示す図である。
添付図
【図６】
のｂは、４つ穴ボタンの場合のボタン裏側での糸の結束を示す図である。四つ穴ボタンの場合はボタンの裏側で糸を結ぶとき、二つの穴の糸を一つにまとめたものを１束とし、糸２束にして結束する。その後、二つ穴ボタンと同様に２個の取り付け器具の切り込み部にそれぞれ１束ずつを接着剤で固定する。
【取り付け器具の説明】
【００１５】  取り付け器具は、糸の先端部を布に通し易くするための装置である。
【００１６】  ボタン裏側の２束に分けられた糸の先端部を、１束ずつ各々１個の取り付け器具の後部円形側中央にある切り込み部に、接着剤で固定する。
詳細は添付図
【図８】
を参照。
【００１７】  取り付け器具に接着する糸は、取り付け器具を布に通す際、滑らかに通すことができるように、取付け器具の後部円形側中央の切り込み部に納まりきるようにし、糸が取り付け器具の端からはみ出さないようにする。添付図
【図８】
のｄは、糸が取り付け器具の後部円形側中央の切り込み部に納まっている様子を示す。
【ボタンの取り付け方】
【００１８】  ボタンに装着された糸付きの器具を布に刺し入れる時には、同一場所に入れるのではなく、刺し入れる間隔を０．５ｍｍ以上あけて、２個所に分けて刺し入れる。詳細は添付図
【図９】
を参照。添付図
【図９】
においてｅは、取り付け器具を布に刺したところを示すものである。また、ｆは布に糸を刺し通したところを示すものである。
添付図
【図１０】
は２束の糸を布に刺し通したところを示したものである。
添付図
【図１０】
において、ｇは２つの取り付け器具の差し込み位置を０．５ｍｍ以上離したため、刺し通された糸が０．５ｍｍ以上離れていることを表している。
【ボタンを取りつけた後の処理】
【００１９】  ボタンを取りつけた後、布地の裏側で２筋に別れている糸を結ぶ。糸が緩まない様に、又、糸がほどけない様にきっちりと結ぶ。詳細は添付図
【図１１】
を参照。
【図１１】
においてｈは布に通した糸２束を布の裏側で結束したことを表した図である。
【糸を結んだ後の処理】
【００２０】  糸を結んだ後は、ボタンを布に取付けておくのに必要な長さだけを残して、余分な糸を器具をつけたまま切り落とす。糸を切る位置は、結び目から１ｍｍ〜３ｍｍ程度とする。
切り落とした糸は、そのまま捨てることができる。詳細は添付図
【図１２】
を参照。
【図１２】
において、ｉは糸の結び目から１ｍｍ〜３ｍｍのところで糸を切ったことを表している。また、ｊは取り付け器具の付いた側の糸が切り落とされたところを示している。
【考案の効果】
【００２１】  針に糸を通すという面倒な作業が無いので、針に糸を通すことが困難な高齢者や、針を持ったことのない若年者、男性でも、簡単にボタンを取りつけることが可能となる。また、子供でも要領を教えれば、ボタン付けが可能となると思われる。
【００２２】  布に通すための器具は、木またはプラスチックを使用しているので、金属に比べ危険性が少ない。
【００２３】  糸はボタンに取付けられている分量だけで必要量を満たすので、糸を購入する必要が無く、使い残しの糸を処分するという無駄を省くことができる。
【図面の簡単な説明】
【図１】  本考案ボタン（２つ穴）を斜め方向から見た図である。
【図２】  本考案ボタン（２つ穴）を側面から見た図である。
【図３】  本考案ボタン（２つ穴）を裏面から見た図である。
【図４】  本考案ボタン（４つ穴）を斜め方向から見た図である。
【図５】  本考案ボタン（４つ穴）を側面から見た図である。
【図６】  本考案ボタン（４つ穴）を裏面から見た図である。
【図７】  取り付け器具を斜め方向から見た図である。
【図８】  取り付け器具に、ボタンの付いている糸の先端を接着したところを示す図である。ボタン裏側で結束された糸を、取り付け器具の後部円形側中央切り込み部に接着剤で固定したところ（ｄ）を表している。
【図９】  本考案ボタンの取り付け器具を布に刺したところを表した図である。ｅは取り付け器具を布に刺したところを示し、ｆは取付け器具を布に刺し通して引き抜いたところを示している。
【図１０】  本考案ボタンの取り付け器具を布に刺し通し、糸を引きぬいたところを示した図である。２つの取り付け器具の差し込み位置を０．５ｍｍ以上離して刺したために、２束の糸の距離が０．５ｍｍ以上離れていることを明確にした図である。
【図１１】  本考案ボタンの取り付け器具を布に刺した後、２筋の糸を結んだ（ｈ）ことを示す図である。
【図１２】  本考案ボタンの２束の糸を結んだ後、糸を結び目から１ｍｍ〜３ｍｍ程度残して、取り付け器具の器具の付いた側の糸を切り離したところを示した図である。
【符号の説明】
１は、ボタンを示す。
２は、糸を示す。
３は、取り付け器具を示す。
４は、布を示す。
ａは、２つ穴ボタンの場合のボタン裏側での糸の結束を示す。
ｂは、４つ穴ボタンの場合のボタン裏側での糸の結束を示す。
ｃは、取りつけ器具に糸を接着するために作られた幅０．０５ｍｍ〜０．３ｍｍ、深さ２ｍｍ〜３ｍｍの切り込み部を示す。
ｄは、取り付け器具に接着した糸が、取り付け器具の切り込み部に納まり、器具の外部にはみ出していない様子を示す。
ｅは、取りつけ器具を布に刺したところを示す。
ｆは、取りつけ器具を布に刺し通し、糸を引きぬいたところを示す。
ｇは、２つの取り付け器具の差し込み位置を０．５ｍｍ以上離して刺したために、刺し通された２束の糸の距離が０．５ｍｍ以上離れていることを示している。
ｈは、２個の取りつけ器具を布に刺し通した後、布の裏側で２束に分かれている糸を結んだところを示す。
ｉは、ボタンを取り付けた後、布の裏側で糸を処理したもののうち、布側に残された糸部を示す。糸の結び目から１ｍｍ〜３ｍｍ程度を残して、取りつけ器具の付いている側を切り落としたことを示している。
ｊは、糸の後端部が、取りつけ器具と共に切り落とされたことを示す。
【図１】
0003114990.tif 000003
【図２】
0003114990.tif 000004
【図３】
0003114990.tif 000005
【図４】
0003114990.tif 000006
【図５】
0003114990.tif 000007
【図６】
0003114990.tif 000008
【図７】
0003114990.tif 000009
【図８】
0003114990.tif 000010
【図９】
0003114990.tif 000011
【図１０】
0003114990.tif 000012
【図１１】
0003114990.tif 000013
【図１２】
0003114990.tif 000014